(57)【要約】【課題】チューブが摩耗しにくい口腔洗浄装置を提供する。【解決手段】口腔洗浄装置１は洗浄液を吐出するポンプを含む本体ユニット１０と、吐出された洗浄液が流れるように本体ユニット１０と接続されるチューブ８０と、洗浄液を吐出できるようにチューブ８０と接続される洗浄ユニット１００と、着脱可能な状態で洗浄ユニット１００を本体ユニット１０に取り付け可能な結合部１１０と、洗浄ユニット１００が本体ユニット１０に取り付けられた状態においてチューブ８０を配置できるように本体ユニット１０に設けられる配置部４０と、配置部４０に設けられる弾性部材４２とを含む。配置部４０は本体ユニット１０に設けられる凹部４１を含む。凹部４１はチューブ８０を収容できるように構成される。弾性部材４２は凹部４１の内周面４１Ｃおよび開口４１Ａの縁に設けられる。【選択図】図４
2020108869.tif 000002
【特許請求の範囲】
【請求項１】
洗浄液を吐出するポンプを含む本体ユニットと、
吐出された前記洗浄液が流れるように前記本体ユニットと接続されるチューブと、
前記洗浄液を吐出できるように前記チューブと接続される洗浄ユニットと、
着脱可能な状態で前記洗浄ユニットを前記本体ユニットに取り付け可能な結合部と、
前記洗浄ユニットが前記本体ユニットに取り付けられた状態において前記チューブを配置できるように前記本体ユニットに設けられる配置部と、
前記配置部に設けられる弾性部材とを含み、
前記配置部は前記本体ユニットに設けられる凹部を含み、
前記凹部は前記チューブを収容できるように構成され、
前記弾性部材は前記凹部の内周面および開口の縁に設けられる
口腔洗浄装置。
【請求項２】
前記本体ユニットと前記チューブとを接続する接続部をさらに含み、
前記接続部は前記凹部内に設けられ、
前記弾性部材は前記接続部をシールするように設けられる
請求項１に記載の口腔洗浄装置。
【発明の詳細な説明】
【技術分野】
【０００１】
本開示は洗浄液により口腔内を洗浄する口腔洗浄装置に関する。
【背景技術】
【０００２】
従来の口腔洗浄装置の一例として、洗浄液を貯留するタンクおよび洗浄液を吐出するポンプを含む本体ユニットと、ポンプにより吐出された洗浄液が流れるように本体ユニットと接続されるチューブと、チューブから供給された洗浄液を吐出する洗浄ユニットとを含む口腔洗浄装置がよく知られている。特許文献１は従来の口腔洗浄装置の一例を開示している。
【先行技術文献】
【特許文献】
【０００３】
【特許文献１】特開２０１５−２１７１７４号公報
【発明の概要】
【発明が解決しようとする課題】
【０００４】
ポンプから吐出された洗浄液がチューブ内を流れることによりチューブが振動する。振動するチューブが本体ユニットと接触することによりチューブが摩耗するおそれがある。
【課題を解決するための手段】
【０００５】
本開示に関する口腔洗浄装置は洗浄液を吐出するポンプを含む本体ユニットと、吐出された前記洗浄液が流れるように前記本体ユニットと接続されるチューブと、前記洗浄液を吐出できるように前記チューブと接続される洗浄ユニットと、着脱可能な状態で前記洗浄ユニットを前記本体ユニットに取り付け可能な結合部と、前記洗浄ユニットが前記本体ユニットに取り付けられた状態において前記チューブを配置できるように前記本体ユニットに設けられる配置部と、前記配置部に設けられる弾性部材とを含み、前記配置部は前記本体ユニットに設けられる凹部を含み、前記凹部は前記チューブを収容できるように構成され、前記弾性部材は前記凹部の内周面および開口の縁に設けられる。
【発明の効果】
【０００６】
本開示に関する口腔洗浄装置はチューブが摩耗しにくい。
【図面の簡単な説明】
【０００７】
【図１】実施の形態の口腔洗浄装置の斜視図。
【図２】図１の口腔洗浄装置の正面図。
【図３】図１の本体ユニットの平面図。
【図４】洗浄ユニットが本体ユニットから取り外された状態を示す斜視図。
【図５】図２のＤ５−Ｄ５線に沿う断面図。
【図６】図５のＡ部の拡大図。
【図７】図２のＤ７−Ｄ７線に沿う断面図。
【図８】図７のＢ部の拡大図。
【図９】図１の本体ユニットの分解斜視図。
【図１０】図３のＤ１０−Ｄ１０線に沿う断面図。
【図１１】図２のＤ１１−Ｄ１１線に沿う断面図。
【図１２】図２のＤ１２−Ｄ１２線に沿う断面図。
【図１３】図１の本体ユニットの底面図。
【図１４】図１３のＤ１４−Ｄ１４線に沿う断面図。
【図１５】変形例の第６シール部を示す断面図。
【図１６】変形例の口腔洗浄装置の一例を示す斜視図。
【発明を実施するための形態】
【０００８】
（口腔洗浄装置が取り得る形態の例示）
〔１〕口腔洗浄装置は、洗浄液を吐出するポンプを含む本体ユニットと、吐出された前記洗浄液が流れるように前記本体ユニットと接続されるチューブと、前記洗浄液を吐出できるように前記チューブと接続される洗浄ユニットと、着脱可能な状態で前記洗浄ユニットを前記本体ユニットに取り付け可能な結合部と、前記洗浄ユニットが前記本体ユニットに取り付けられた状態において前記チューブを配置できるように前記本体ユニットに設けられる配置部と、前記配置部に設けられる弾性部材とを含む。チューブが接触しやすい配置部に弾性部材が設けられるため、チューブが振動した場合にその振動が弾性部材により吸収される。このため、チューブが摩耗しにくい。
【０００９】
〔２〕前記口腔洗浄装置の一例によれば、前記配置部は前記本体ユニットに設けられる凹部を含む。洗浄ユニットが本体ユニットに取り付けられた状態においてチューブを凹部に収容できるため、口腔洗浄装置が使用されない場合にチューブが他の物体と接触しにくい。
【００１０】
〔３〕前記口腔洗浄装置の一例によれば、前記弾性部材は前記凹部の開口の縁に設けられる。チューブと強く摩擦する可能性がある開口の縁に弾性部材が設けられるため、チューブが一層摩耗しにくい。
【００１１】
〔４〕前記口腔洗浄装置の一例によれば、前記弾性部材は前記凹部の内周面に設けられる。チューブと接触しやすい凹部の内周面に弾性部材が設けられるため、チューブが一層摩耗しにくい。また、チューブと凹部の内周面との接触により発生する音が小さくなる。
【００１２】
〔５〕前記口腔洗浄装置の一例によれば、前記本体ユニットと前記チューブとを接続する接続部をさらに含み、前記接続部は前記凹部内に設けられ、前記弾性部材は前記接続部をシールするように設けられる。弾性部材がチューブの振動を吸収する役割と接続部をシールする役割とを担うため、弾性部材の付加価値が高くなる。
【００１３】
〔６〕前記口腔洗浄装置の一例によれば、前記本体ユニットと前記チューブとを接続する接続部をさらに含み、前記接続部は前記配置部に設けられ、前記弾性部材は前記接続部をシールするように設けられる。上記口腔洗浄装置によれば、上記〔５〕の口腔洗浄装置と同様の効果が得られる。
【００１４】
（実施の形態）
図１は口腔洗浄装置１の外観である。口腔洗浄装置１は口腔内の洗浄に用いられ、主として口腔内の歯および歯茎の洗浄に用いられる。口腔洗浄装置１は例えば洗面台（図示略）等の平坦な設置面に設置して使用される。口腔洗浄装置１は商用電源等の外部電源（図示略）から供給される電力により駆動し、口腔内に洗浄液を吐出する。洗浄液の一例は洗浄剤が混ぜられた上水、または、上水である。
【００１５】
口腔洗浄装置１は本体ユニット１０、チューブ８０、洗浄ユニット１００、および、電源コードＰＣを含む。本体ユニット１０は装置本体２０およびタンク７０を含む。タンク７０の機能は洗浄液を貯留することである。タンク７０は例えば装置本体２０に着脱可能に設けられる。装置本体２０は口腔洗浄装置１を駆動するための各種の要素を収容している。装置本体２０は第１ケース２１、ポンプ３１、モータ３２、および、電源回路３３を含む（図７参照）。ポンプ３１、モータ３２、および、電源回路３３は第１ケース２１内に収容される。ポンプ３１の機能はタンク７０に貯留された洗浄液を吐出することである。モータ３２の機能はポンプ３１を駆動することである。電源回路３３の機能はモータ３２に電力を供給することである。電源コードＰＣは電源回路３３と電気的に接続されている。電源コードＰＣのプラグＰＧが外部電源に接続されることにより、外部電源の電力が電源回路３３に供給される。
【００１６】
チューブ８０はポンプ３１により吐出された洗浄液が流れるように本体ユニット１０と接続されている。洗浄ユニット１００は洗浄液を吐出できるようにチューブ８０と接続されている。洗浄ユニット１００は本体ユニット１０に着脱可能である。図１は洗浄ユニット１００が本体ユニット１０に取り付けられた状態を示している。洗浄ユニット１００が口腔内の洗浄に用いられる場合、洗浄ユニット１００は本体ユニット１０から取り外される。
【００１７】
装置本体２０の第１ケース２１は複数のパーツ２２が結合されることにより構成される。第１ケース２１を構成する材料の一例はＡＢＳ（Acrylonitrile Butadiene Styrene）樹脂である。複数のパーツ２２は上蓋２３、ケース本体３０、底蓋２４、および、配置部４０を含む。各パーツ２２はそれぞれ樹脂材料により個別に構成される成型品である。上蓋２３、底蓋２４、および、配置部４０はそれぞれケース本体３０と結合されている。上蓋２３は装置本体２０の平らな上面２３Ａを構成する。
【００１８】
チューブ８０は例えば伸縮可能にカールしたカールチューブである。チューブ８０を構成する材料の種類、チューブ８０の直径、および、チューブ８０の肉厚は、例えば洗浄ユニット１００を本体ユニット１０の周囲で動かす場合における洗浄ユニット１００の動かしやすさ、および、チューブ８０の耐久性の点から決められることが好ましい。チューブ８０を構成する材料の一例は高い可撓性を有する樹脂材料である。この樹脂材料の一例はＥＶＡ（Ethylene Vinyl Acetate copolymer）樹脂である。チューブ８０の直径に関する好ましい範囲の一例は３．０〜５．０ｍｍである。一例では、チューブ８０の直径は４．０ｍｍである。チューブ８０の肉厚に関する好ましい範囲の一例は０．５〜１．５ｍｍである。一例では、チューブ８０の肉厚は１．０ｍｍである。
【００１９】
洗浄ユニット１００は第２ケース１０１およびノズル１０５を含む。ノズル１０５は洗浄液を吐出できるように第２ケース１０１に設けられる。第２ケース１０１を構成する材料の一例はＡＢＳ樹脂である。第２ケース１０１はグリップ部１０２を含む。グリップ部１０２はユーザが片手でグリップできるように構成されている。第２ケース１０１は第１端部１０３および第２端部１０４を含む。第１端部１０３は第１端面１０３Ａを含む。第１端面１０３Ａはノズル１０５を取り付けることができるように構成されている。第２端部１０４は第２ケース１０１のうちの第１端部１０３とは反対側の端部である。第２端部１０４は第２端面１０４Ａを含む。チューブ８０は例えば第２端面１０４Ａから第２ケース１０１内に挿入され、第２ケース１０１内に設けられる洗浄液の通路の入口と接続される。ノズル１０５は、その通路の出口と接続される。
【００２０】
洗浄ユニット１００は操作部１０６をさらに含む。操作部１０６はグリップ部１０２に設けられる。操作部１０６の機能は第２ケース１０１内に設けられた止水弁（図示略）を開放および閉鎖することである。操作部１０６が操作されることにより止水弁が開放された場合、チューブ８０を流れる洗浄液がノズル１０５の吐出口１０５Ａから吐出される。操作部１０６が操作されることにより止水弁が閉鎖された場合、ノズル１０５の吐出口１０５Ａから洗浄液が吐出されない。
【００２１】
本体ユニット１０は操作部５０および表示部６０をさらに含む。操作部５０の機能は主に洗浄液の吐出に関連する本体ユニット１０の動作を選択することである。操作部５０は例えば装置本体２０の上面２３Ａに設けられる。操作部５０は複数のボタンを含む。複数のボタンは第１ボタン５１、第２ボタン５２、第３ボタン５３を含む。第１ボタン５１の機能は本体ユニット１０の電源のオンおよびオフを切り替えることである。第２ボタン５２の機能はポンプ３１から吐出される洗浄液の水圧を強めることである。第３ボタン５３の機能はポンプ３１から吐出される洗浄液の水圧を弱めることである。ポンプ３１から吐出される洗浄液の水圧は、第２ボタン５２および第３ボタン５３の操作によりポンプ３１の吐出し圧力の範囲内で調節される。ポンプ３１の吐出し圧力に関する好ましい範囲の一例は、３．０〜８．０ｋｇｆ／ｃｍ２である。ノズル１０５の吐出口１０５Ａから吐出される洗浄液の水圧は、ポンプ３１から吐出される洗浄液の水圧に応じて変化する。
【００２２】
ポンプ３１の最大の吐出し圧力は所定の最大吐出し圧力よりも大きいことが好ましい。所定の最大吐出し圧力は、例えばノズル１０５の吐出口１０５Ａから吐出された洗浄液が口腔内の汚れを落とす力との関係から決められることが好ましい。所定の最大吐出し圧力に関する好ましい範囲の一例は４ｋｇｆ／ｃｍ２以上の範囲である。所定の最大吐出し圧力に関するより好ましい範囲の一例は６ｋｇｆ／ｃｍ２以上の範囲である。好ましい所定の最大吐出し圧力の一例は８ｋｇｆ／ｃｍ２である。
【００２３】
表示部６０の機能は操作部５０による操作と関連付けられた各種の情報を表示することである。表示部６０は例えば装置本体２０の上面２３Ａに設けられる複数のＬＥＤ（Light Emitting Diode）ランプを含む。各ＬＥＤランプの点灯状態は第２ボタン５２および第３ボタン５３により調節される洗浄液の水圧に応じて変化する。
【００２４】
配置部４０は洗浄ユニット１００が本体ユニット１０に取り付けられた状態においてチューブ８０を配置できるようにケース本体３０と結合される。配置部４０は凹部４１を含む。凹部４１はチューブ８０を収容できるように構成されている。凹部４１はケース本体３０の正面３０Ｄに開口した開口４１Ａを含む。
【００２５】
図２は洗浄ユニット１００が本体ユニット１０に取り付けられ、ノズル１０５が第２ケース１０１から取り外された口腔洗浄装置１の正面図である。洗浄ユニット１００の第２ケース１０１は、洗浄ユニット１００が本体ユニット１０に取り付けられた状態において第２端部１０４が配置部４０と面するように構成される。このため、洗浄ユニット１００を本体ユニット１０から取り外す場合に第２端部１０４を掴みやすく、洗浄ユニット１００を本体ユニット１０から容易に取り外すことができる。
【００２６】
第２ケース１０１は洗浄ユニット１００が本体ユニット１０に取り付けられた状態において、第１端面１０３Ａが装置本体２０の上面２３Ａと実質的に同一の平面上に配置されるように構成される。このため、第１端面１０３Ａと装置本体２０の上面２３Ａとの位置関係を、洗浄ユニット１００を本体ユニット１０に取り付ける場合の目印の１つとして利用できる。実質的に同一の平面上に配置される状態は、第１端面１０３Ａと装置本体２０の上面２３Ａとの間に段差が形成されない状態、および、第１端面１０３Ａと装置本体２０の上面２３Ａとの間に小さな段差が形成される状態を含む。小さな段差は、本体ユニット１０の周囲で動く手が装置本体２０および洗浄ユニット１００に引っかかりにくいという効果について、装置本体２０の上面２３Ａと洗浄ユニット１００の第１端面１０３Ａとの間に段差が形成されない場合と同程度の効果または実質的に同程度とみなせる効果が得られる大きさの段差である。
【００２７】
平面視における本体ユニット１０の２次元形状は楕円または略楕円であることが好ましい。本体ユニット１０の２次元形状はタンク７０が装置本体２０に取り付けられた状態における本体ユニット１０の２次元形状であり、本体ユニット１０の中心軸線と直交する平面に投影される本体ユニット１０の２次元図形と等しい。図３は洗浄ユニット１００が省略された口腔洗浄装置１の平面図である。平面視における本体ユニット１０の２次元形状の一例は、楕円の一例である円である。本体ユニット１０の２次元形状が楕円または略楕円である場合、チューブ８０（図１参照）が本体ユニット１０と接触した状態における本体ユニット１０とチューブ８０との接触面積が狭くなる。平面視におけるタンク７０および装置本体２０の２次元形状の一例は半楕円または略半楕円である。平面視における装置本体２０の２次元形状はタンク７０が装置本体２０に取り付けられた状態における装置本体２０の２次元形状である。
【００２８】
本体ユニット１０の３次元形状は柱体、略柱体、錐台、略錐台、錐体、略錐体、双錐体、略双錐体、楕円体、または、略楕円体であることが好ましい。本体ユニット１０の３次元形状はタンク７０が装置本体２０に取り付けられた状態における本体ユニット１０の３次元形状である。図１に示されるとおり、一例では、本体ユニット１０の３次元形状は柱体の一例である楕円柱体である。本体ユニット１０の３次元形状が上記に例示された形状である場合、チューブ８０が本体ユニット１０と接触した状態における本体ユニット１０とチューブ８０との接触面積が狭くなる。本体ユニット１０の形状が双錐体、略双錐体、楕円体、または、略楕円体である場合、本体ユニット１０を設置面に安定して設定するための支持部（図示略）が本体ユニット１０の底部に設けられることが好ましい。
【００２９】
本体ユニット１０の２次元形状および３次元形状を表す用語は、接頭辞である略を含まない用語、および、接頭辞である略を含む用語に分類される。略を含む用語は略楕円、略柱体、略錐台、略錐体、略双錐体、略楕円体、および、略半楕円である。略を含まない用語により説明される図形を基本図形と称する。略を含む用語により説明される図形を類似図形と称する。類似図形は、本体ユニット１０とチューブ８０との接触面積が狭くなることに関して、本体ユニット１０の２次元形状または３次元形状が基本図形である場合と同程度の効果が得られる図形、および、本体ユニット１０の側面が平面である従来の口腔洗浄装置と比較して有意な効果が得られる図形を含む。口腔洗浄装置１によれば、平面視における本体ユニット１０の２次元形状および３次元形状が基本図形または類似図形であるため、意匠性が高められる。
【００３０】
２次元図形の類似図形は多様な例を含む。第１例では、２次元図形の類似図形は直線を部分的に含む。第２例では、２次元図形の類似図形は外側に中心を有する曲線を部分的に含む。第３例では、２次元図形の類似図形は第１例および第２例の両方の特徴を含む。
【００３１】
３次元図形の類似図形は多様な例を含む。第１例では、３次元図形の類似図形は平面を部分的に含む。第２例では、３次元図形の類似図形は凸部を部分的に含む。第３例では、３次元図形の類似図形は凹部を部分的に含む。第４例では、３次元図形の類似図形は第１例〜第３例のそれぞれの特徴の少なくとも２つを含む。
【００３２】
装置本体２０の上面２３Ａはタンク７０が装置本体２０に取り付けられた状態において、例えばタンク７０の平らな上面７５Ａと実質的に同一の平面上に位置する。このため、本体ユニット１０の周囲で動く手、洗浄ユニット１００、および、チューブ８０等が本体ユニット１０に引っかかりにくい。
【００３３】
実質的に同一の平面上に位置する状態は、装置本体２０の上面２３Ａとタンク７０の上面７５Ａとの間に段差が形成されない状態、および、装置本体２０の上面２３Ａとタンク７０の上面７５Ａとの間に小さな段差が形成される状態を含む。小さな段差は、本体ユニット１０の周囲で動く手、洗浄ユニット１００、および、チューブ８０等が本体ユニット１０に引っかかりにくいという効果に対して、装置本体２０の上面２３Ａとタンク７０の上面７５Ａとの間に段差が形成されない場合と同程度の効果または実質的に同程度とみなせる効果が得られる大きさの段差である。
【００３４】
図４は洗浄ユニット１００が本体ユニット１０から取り外された状態を示す。洗浄ユニット１００は取外スイッチ１０７をさらに含む。取外スイッチ１０７の機能はノズル１０５を第２ケース１０１から取り外すことである。取外スイッチ１０７は例えば第２ケース１０１の第１端部１０３のうちの背面に設けられる。
【００３５】
口腔洗浄装置１は弾性部材４２をさらに含む。図４においてドットが表示された部分は弾性部材４２を示す。弾性部材４２を構成する材料の一例はチューブ８０と接触してもチューブ８０が摩耗しにくい弾性材料である。この弾性材料の一例はエラストマである。弾性部材４２は配置部４０に設けられる。チューブ８０が接触しやすい配置部４０に弾性部材４２が設けられるため、配置部４０に配置されるチューブ８０がポンプ３１（図７参照）の駆動にともない振動した場合にチューブ８０の振動が弾性部材４２により吸収される。このため、チューブ８０が摩耗しにくい。さらに、振動するチューブ８０が弾性部材４２に被覆されていない部分と接触する場合よりも振動にともなう音が小さくなる。
【００３６】
弾性部材４２は第１弾性部材４２Ａおよび第２弾性部材４２Ｂを含む。第１弾性部材４２Ａは例えば凹部４１の開口４１Ａの縁４１Ｂ（図５参照）に設けられる。一例では、第１弾性部材４２Ａは開口４１Ａの縁４１Ｂの全体に設けられる。チューブ８０と強く摩擦する可能性がある開口４１Ａの縁４１Ｂに第１弾性部材４２Ａが設けられるため、チューブ８０が一層摩耗しにくい。さらに、振動するチューブ８０が第１弾性部材４２Ａに被覆されていない部分と接触する場合よりも振動にともなう音が小さくなる。
【００３７】
第２弾性部材４２Ｂは例えば凹部４１の内周面４１Ｃおよび底面４１Ｄに設けられる。一例では、第２弾性部材４２Ｂは凹部４１の内周面４１Ｃおよび底面４１Ｄの全体に設けられる。チューブ８０と接触しやすい凹部４１の内周面４１Ｃおよび底面４１Ｄに第２弾性部材４２Ｂが設けられるため、チューブ８０が一層摩耗しにくい。さらに、振動するチューブ８０が第２弾性部材４２Ｂに被覆されていない部分と接触する場合よりも振動にともなう音が小さくなる。
【００３８】
口腔洗浄装置１は結合部１１０をさらに含む。結合部１１０の機能は着脱可能な状態で洗浄ユニット１００を本体ユニット１０に取り付けることである。一例では、結合部１１０は本体ユニット１０と洗浄ユニット１００とを磁力により結合する。このため、洗浄ユニット１００が本体ユニット１０に近づけられた場合に結合部１１０の磁力により洗浄ユニット１００が本体ユニット１０と結合される。
【００３９】
ケース本体３０は凹部３４をさらに含む。凹部３４は例えばケース本体３０の正面３０Ｄに開口する。凹部３４は洗浄ユニット１００の外郭の形状に対応した形状を有する。一例では、凹部３４の空間を形成する凹部３４の表面３４Ａは洗浄ユニット１００の外郭の形状に対応した曲面である。結合部１１０により洗浄ユニット１００が本体ユニット１０に結合された状態において、洗浄ユニット１００が本体ユニット１０の凹部３４に配置されるため、結合部１１０により本体ユニット１０と結合された洗浄ユニット１００の姿勢が決められる。
【００４０】
ケース本体３０は第１外壁３０Ａおよび第２外壁３０Ｂを含む。第１外壁３０Ａはケース本体３０の外郭を構成する。第２外壁３０Ｂは第１外壁３０Ａとともにケース本体３０の外郭を構成する。第２外壁３０Ｂは例えばケース本体３０の凹部３４の一部に設けられる。第２外壁３０Ｂは第１外壁３０Ａに取り囲まれている。洗浄ユニット１００の第２ケース１０１の背面に設けられた取外スイッチ１０７により、洗浄ユニット１００が本体ユニット１０に取り付けられた状態において第２ケース１０１の背面と凹部３４の表面３４Ａとの間に隙間が生じる。第２外壁３０Ｂはその隙間が小さくなるように第１外壁３０Ａに対してケース本体３０の外側に盛り上がっている。
【００４１】
結合部１１０は第１結合部１１１および第２結合部１１２を含む。第１結合部１１１はケース本体３０の正面３０Ｄに設けられる。一例では、第１結合部１１１はケース本体３０の凹部３４の表面３４Ａに設けられる。第１結合部１１１は磁石１１１Ａ、ヨーク１１１Ｂ（図６参照）、および、第１収容部１１１Ｃ（図６参照）を含む。磁石１１１Ａの一例はネオジウム磁石である。ヨーク１１１Ｂは磁石１１１Ａの磁束が第２結合部１１２に強く作用するように磁石１１１Ａに対してケース本体３０の第２外壁３０Ｂとは反対側に設けられる（図６参照）。ヨーク１１１Ｂの材料の一例は低炭素鋼である。第１収容部１１１Ｃは磁石１１１Ａおよびヨーク１１１Ｂを収容できるようにケース本体３０に設けられる。第１収容部１１１Ｃは第２外壁３０Ｂおよびケース本体３０内に配置された内壁３０Ｃを含む（図６参照）。
【００４２】
ケース本体３０の凹部３４は例えば本体ユニット１０の高さ方向に延びるように形成される。凹部３４の下端部３４Ｂは配置部４０の凹部４１と繋がる。磁石１１１Ａはケース本体３０の第２外壁３０Ｂのうちの凹部３４の内面側に設けられる。一例では、磁石１１１Ａは凹部３４の内面側において本体ユニット１０の高さ方向の中心に設けられる。このため、洗浄ユニット１００を本体ユニット１０に結合する結合部１１０の力が洗浄ユニット１００の全体にバランスよく作用し、本体ユニット１０と結合された洗浄ユニット１００の姿勢が一層安定する。
【００４３】
第２ケース１０１は第１外壁１０１Ａおよび第２外壁１０１Ｂを含む。第１外壁１０１Ａは第２ケース１０１の外郭を構成する。第２外壁１０１Ｂは第１外壁１０１Ａとともに第２ケース１０１の外郭を構成する。第２外壁１０１Ｂは例えば第２ケース１０１の背面の一部に設けられる。第２外壁１０１Ｂは第１外壁１０１Ａに取り囲まれ、第１外壁３０Ａに対して第２ケース１０１の内側に凹んでいる。第２ケース１０１の第２外壁１０１Ｂの形状はケース本体３０の第２外壁３０Ｂの形状にフィットする。このため、第１結合部１１１と第２結合部１１２との間に作用する磁力を強めることができる。
【００４４】
第２結合部１１２は洗浄ユニット１００に設けられる。一例では、第２結合部１１２はグリップ部１０２のうちの高さ方向の中間部の背面に設けられる。第２結合部１１２は強磁性体１１２Ａおよび第２収容部１１２Ｂ（図６参照）を含む。強磁性体１１２Ａの一例は冷間圧延鋼板である。このため、洗浄ユニット１００が本体ユニット１０から取り外された状態において第２結合部１１２が口腔洗浄装置１の周囲に存在する強磁性体を吸着しない。また、強磁性体１１２Ａが第２結合部１１２を構成するため、第１結合部１１１および第２結合部１１２の両方が磁石を含む場合よりも製造コストが低減される。第２収容部１１２Ｂは第２外壁１０１Ｂおよび第２ケース１０１内に配置された内壁１０１Ｄを含む（図６参照）。
【００４５】
ケース本体３０の第１外壁３０Ａは規制部３５を含む。規制部３５の機能は本体ユニット１０に取り付けられた洗浄ユニット１００が本体ユニット１０に対して下方に移動することを規制することである。規制部３５は例えばケース本体３０の凹部３４の下端部３４Ｂに設けられる。図示される例では、規制部３５は弾性部材４２により覆われている。
【００４６】
第２ケース１０１の第１外壁１０１Ａは接触部１０８を含む。接触部１０８は例えば第２ケース１０１の第２端部１０４の背面に設けられる。接触部１０８は洗浄ユニット１００が本体ユニット１０に対して下方に移動した場合に規制部３５と接触する。このため、本体ユニット１０に結合された洗浄ユニット１００が自重等により本体ユニット１０に対して下方に移動した場合でも、接触部１０８が規制部３５と接触することにより本体ユニット１０に対する高さ方向の位置が決められる。
【００４７】
図５に示されるとおり、洗浄ユニット１００は本体ユニット１０に取り付けられた状態において、結合部１１０および規制部３５により本体ユニット１０に対する位置が保持される。本体ユニット１０に対する洗浄ユニット１００の位置が結合部１１０および規制部３５により保持された状態において、第２ケース１０１の第１端面１０３Ａが装置本体２０の上面２３Ａと実質的に同一の平面上に配置される。
【００４８】
図６は第１結合部１１１と第２結合部１１２との関係を示す。第１結合部１１１の磁石１１１Ａは第１収容部１１１Ｃ内においてケース本体３０の第２外壁３０Ｂに固定されている。ヨーク１１１Ｂは磁石１１１Ａに取り付けられる。ケース本体３０の第２外壁３０Ｂの厚さＴＡ１は、本体ユニット１０の高さ方向においてケース本体３０の第１外壁３０Ａにおける第２外壁３０Ｂの周囲の部分の厚さＴＡ２よりも薄い。このため、第１結合部１１１と第２結合部１１２との間に作用する磁力を強めることができる。
【００４９】
第２ケース１０１の第２外壁１０１Ｂは薄肉部１０１Ｃを含む。第２結合部１１２の強磁性体１１２Ａは第２収容部１１２Ｂ内において第２外壁１０１Ｂの薄肉部１０１Ｃに固定されている。第２ケース１０１の第２外壁１０１Ｂにおける薄肉部１０１Ｃの厚さＴＢ１は、洗浄ユニット１００の高さ方向において第２ケース１０１の第１外壁１０１Ａにおける第２外壁１０１Ｂの周囲の部分の厚さＴＢ２よりも薄い。このため、第１結合部１１１と第２結合部１１２との間の作用する磁力を強めることができる。
【００５０】
図７に示されるとおり、洗浄ユニット１００はケース本体３０の凹部３４に嵌め込まれることにより本体ユニット１０に取り付けられた状態を取るため、平面視における口腔洗浄装置１の２次元形状に大きな凸部が形成されにくい。このため、口腔洗浄装置１の意匠性が一層高められる。
【００５１】
図８に示されるとおり、ケース本体３０の第２外壁３０Ｂの厚さＴＡ１は、本体ユニット１０の幅方向においてケース本体３０の第１外壁３０Ａにおける第２外壁３０Ｂの周囲の部分の厚さＴＡ３よりも薄い。第２ケース１０１の第２外壁１０１Ｂにおける薄肉部１０１Ｃの厚さＴＢ１は、洗浄ユニット１００の幅方向において第２ケース１０１の第１外壁１０１Ａにおける第２外壁１０１Ｂの周囲の部分の厚さＴＢ３よりも薄い。
【００５２】
図９は本体ユニット１０を構成する各種の要素を分解した状態を示す。この図では、本体ユニット１０の一部が省略されている。
タンク７０はタンク本体７１、底部７２、排水口７３（図７参照）、出口７４（図１２参照）、蓋７５、および、取手７６を含む。タンク本体７１は洗浄液を貯留可能に設けられる。洗浄液はタンク本体７１の開口７１Ａから注がれる。底部７２はタンク本体７１の底面を構成する。排水口７３の機能はタンク本体７１内に貯留された洗浄液を排水することである。洗浄液が排水される量はフロート弁（図示略）により調節される。排水口７３は底部７２の内面に設けられる。出口７４は排水口７３と連通するように底部７２の外面に設けられる。蓋７５はタンク本体７１に対して着脱可能であり、タンク本体７１の開口７１Ａを開閉する。蓋７５はタンク本体７１に取り付けられた状態においてタンク７０の上面７５Ａを構成する。取手７６はタンク本体７１内の開口７１Ａ付近に設けられる。
【００５３】
ケース本体３０は支持部３６を含む。支持部３６の機能はタンク７０の底部７２を支持することである。平面視における支持部３６の形状は平面視におけるタンク７０の形状と相似形を有する。支持部３６は給水口３６Ａを含む。給水口３６Ａはタンク７０の出口７４と接続可能である。タンク７０が装置本体２０に取り付けられることにより、タンク７０の出口７４が支持部３６の給水口３６Ａに接続される。給水口３６Ａはポンプ３１と繋がっている。このため、タンク７０に貯留された洗浄液は排水口７３から排水され、出口７４および給水口３６Ａを通過してポンプ３１に流入する。
【００５４】
操作部５０はパネル５４をさらに含む。各ボタン５１〜５３および表示部６０はパネル５４に取り付けられる。第１ケース２１の上蓋２３は各ボタン５１〜５３を外部に露出させる複数の孔２３Ｂを含む。パネル５４は各ボタン５１〜５３が挿入される複数の孔５４Ａを含む。パネル５４が複数のねじ５５によりケース本体３０に固定された後に上蓋２３がケース本体３０と結合される。
【００５５】
口腔洗浄装置１はシール構造１２０をさらに含む。シール構造１２０の機能は第１ケース２１内に水が入り込むことを抑制することである。シール構造１２０は第１ケース２１に設けられる。口腔洗浄装置１の保護等級は例えばＩＰ（International Protection）Ｘ７である。
【００５６】
シール構造１２０は第１シール部１２１および第２シール部１２２を含む。第１シール部１２１は第１ケース２１の外郭における複数のパーツ２２同士の継ぎ目１３１Ａ〜１３１Ｃをシールする。第１シール部１２１は第１シール部材１２１Ａ、第２シール部材１２１Ｂ、第３シール部材１２１Ｃを含む。
【００５７】
第１シール部材１２１Ａの機能は上蓋２３とケース本体３０との継ぎ目１３１Ａをシールすることである。第１シール部材１２１Ａの材料の一例はゴムである。第１シール部材１２１Ａが操作部５０のパネル５４とケース本体３０とで挟み込まれ、パネル５４がねじ５５によりケース本体３０に固定されることによって、上蓋２３とケース本体３０との継ぎ目１３１Ａが第１シール部材１２１Ａによりシールされる。
【００５８】
第２シール部材１２１Ｂの機能は底蓋２４とケース本体３０との継ぎ目１３１Ｂをシールすることである。第２シール部材１２１Ｂの材料の一例はゴムである。第２シール部材１２１Ｂが底蓋２４とケース本体３０とで挟み込まれ、底蓋２４がねじ（図示略）等によりケース本体３０に固定されることによって、底蓋２４とケース本体３０との継ぎ目１３１Ｂが第２シール部材１２１Ｂによりシールされる。
【００５９】
第３シール部材１２１Ｃの機能は配置部４０とケース本体３０との継ぎ目１３１Ｃをシールすることである。第３シール部材１２１Ｃの材料の一例はゴムである。第３シール部材１２１Ｃが配置部４０とケース本体３０とで挟み込まれ、配置部４０がねじ４３（図４参照）によりケース本体３０に固定されることによって、配置部４０とケース本体３０との継ぎ目１３１Ｃが第３シール部材１２１Ｃによりシールされる。
【００６０】
第２シール部１２２は第１ケース２１と操作部５０との継ぎ目１３２Ａ〜１３２Ｃをシールする。第２シール部１２２は第１シール部材１２２Ａ、第２シール部材１２２Ｂ、および、第３シール部材１２２Ｃを含む。
【００６１】
第１シール部材１２２Ａの機能は上蓋２３と第１ボタン５１との継ぎ目１３２Ａをシールすることである。第１シール部材１２２Ａの材料の一例はゴムである。第１シール部材１２２Ａは例えばパネル５４の孔５４Ａに挿入された第１ボタン５１とパネル５４との間をシールするように設けられる（図１０参照）。第１ボタン５１とパネル５４との間の隙間を覆うように第１シール部材１２２Ａが取り付けられ、上蓋２３がケース本体３０と結合されることにより、上蓋２３と第１ボタン５１との継ぎ目１３２Ａが第１シール部材１２２Ａによりシールされる。第２シール部材１２２Ｂの機能は上蓋２３と第２ボタン５２との継ぎ目１３２Ｂをシールすることである。第３シール部材１２２Ｃの機能は上蓋２３と第３ボタン５３との継ぎ目１３２Ｃをシールすることである。第２シール部材１２２Ｂおよび第３シール部材１２２Ｃの構成は第１シール部材１２２Ａの構成と実質的に同じである。
【００６２】
図１０に示されるとおり、シール構造１２０はシール部材６１をさらに含む。シール部材６１の機能は上蓋２３と表示部６０との継ぎ目６２をシールすることである。シール部材６１の材料の一例はゴムである。シール部材６１は例えば表示部６０をシールするように表示部６０を覆う。シール部材６１が表示部６０を覆うように取り付けられ、上蓋２３がケース本体３０と結合されることにより、上蓋２３と表示部６０との継ぎ目６２がシール部材６１によりシールされる。シール部材６１は第２シール部１２２の一部を構成してもよい。
【００６３】
図１１に示されるとおり、口腔洗浄装置１は接続部８１をさらに含む。接続部８１は本体ユニット１０とチューブ８０とを接続する部分である。一例では、接続部８１は配置部４０の凹部４１内に設けられ、ケース本体３０とチューブ８０との接続部分を構成する。
【００６４】
シール構造１２０は第３シール部１２３をさらに含む。第３シール部１２３の機能は接続部８１と本体ユニット１０との継ぎ目１３３をシールすることである。第３シール部１２３は例えば弾性部材１２３Ａである。弾性部材１２３Ａの一例はＯリングである。弾性部材１２３Ａは接続部８１をシールするように配置部４０に設けられる。第３シール部１２３が接続部８１と配置部４０とで挟み込まれ、接続部８１がねじ８２により配置部４０を介してケース本体３０に固定されることによって、接続部８１と本体ユニット１０との継ぎ目１３３が第３シール部１２３によりシールされる。口腔洗浄装置１はポンプ３１とチューブ８０とを接続する流路３１Ａから本体ユニット１０内への水漏れを抑制する２つの弾性部材１２３Ｂ、１２３Ｃをさらに含む。弾性部材１２３Ｂ、１２３Ｃの一例はＯリングである。
【００６５】
口腔洗浄装置１はポンプ収容部３７をさらに含む。ポンプ収容部３７の機能はポンプ３１を収容することである。ポンプ収容部３７は例えばケース本体３０の支持部３６内に設けられる。ポンプ収容部３７は支持部３６の外壁３６Ｂにより構成される。ポンプ収容部３７はポンプ３１を支持するポンプ支持部３７Ａを含む。ポンプ収容部３７およびポンプ支持部３７Ａはケース本体３０の一部であり、ケース本体３０の他の部分と同様に樹脂材料により構成された部分である。ポンプ支持部３７Ａは外壁３６Ｂの内面に設けられたリブ（図示略）を含む。ポンプ３１は例えば結合手段によりリブに固定されている。結合手段はポンプ３１およびリブのそれぞれに形成された嵌合構造を含む。結合手段の一例は複数のねじ３８である。
【００６６】
図１２に示されるとおり、シール構造１２０は第４シール部１２４をさらに含む。第４シール部１２４の機能はケース本体３０の給水口３６Ａをシールすることである。第４シール部１２４は弾性部材１２４Ａである。弾性部材１２４Ａの一例はＯリングである。第４シール部１２４が給水口３６Ａ内に嵌め込まれることにより、給水口３６Ａが第４シール部１２４によりシールされる。このため、タンク７０が装置本体２０から取り外された状態においても本体ユニット１０内に水が入り込みにくい。
【００６７】
口腔洗浄装置１はタンク７０の出口７４とケース本体３０の給水口３６Ａとの間をシールする弾性部材１２４Ｂをさらに含む。弾性部材１２４Ｂの一例はＯリングである。弾性部材１２４Ｂはタンク７０の出口７４の周囲に固定されている。タンク７０が装置本体２０に取り付けられた状態において、タンク７０の出口７４から吐出された洗浄液が外部に漏れることが弾性部材１２４Ｂにより抑制される。
【００６８】
シール構造１２０は第５シール部１２５をさらに含む（図５参照）。第５シール部１２５は防水層１２５Ａを構成する。防水層１２５Ａの機能は電源回路３３を被覆することである。防水層１２５Ａは例えばポッティング加工により形成された樹脂層である。一例では、防水層１２５Ａを構成する樹脂はウレタン樹脂を含む。このため、電源回路３３の防水性が一層高められる。図５の二点鎖線は防水層１２５Ａを示している。
【００６９】
図１３に示されるとおり、装置本体２０は配線通路２５をさらに含む。配線通路２５は第１ケース２１内から引き出された電源コードＰＣを保持する通路である。配線通路２５は底蓋２４の底面２４Ａに設けられる。一例では、配線通路２５は二股に分岐している。配線通路２５は第１出口２５Ａおよび第２出口２５Ｂを含む。各出口２５Ａ、２５Ｂは装置本体２０から電源コードＰＣが引き出される部分である。第１出口２５Ａおよび第２出口２５Ｂは、装置本体２０の幅方向の中心線に対して線対称の関係を有する。各出口２５Ａ、２５Ｂは例えば底蓋２４の側方に設けられる。図示される例では、電源コードＰＣは第１出口２５Ａから引き出されている。このため、口腔洗浄装置１の設置が電源コードＰＣにより制限されにくい。
【００７０】
図１４に示されるとおり、装置本体２０は引出部２６をさらに含む。引出部２６は第１ケース２１内から電源コードＰＣが引き出される部分である。引出部２６は底蓋２４の底面２４Ａに設けられる。
【００７１】
シール構造１２０は第６シール部１２６をさらに含む。第６シール部１２６は引出部２６における底蓋２４と電源コードＰＣとの間をシールする。第６シール部１２６はブッシング１２６Ａおよびシール部材１２６Ｂを含む。ブッシング１２６Ａは引出部２６に挿入できるように電源コードＰＣに設けられる。一例では、ブッシング１２６Ａは電源コードＰＣと一体成形されている。シール部材１２６Ｂの機能はブッシング１２６Ａと引出部２６との間をシールすることである。シール部材１２６Ｂの一例はＯリングである。シール部材１２６Ｂがブッシング１２６Ａと引出部２６とで挟み込まれ、ブッシング１２６Ａがねじ１２６Ｃにより底蓋２４に固定されることによって、ブッシング１２６Ａと引出部２６との間がシール部材１２６Ｂによりシールされる。シール構造１２０は第１シール部１２１〜第６シール部１２６を含むことによりＩＰＸ７等級を満たす。このため、本体ユニット１０が水に漬けられた場合においても本体ユニット１０内に水が入り込みにくく、本体ユニット１０を効率的に洗浄できる。
【００７２】
図１を参照して、口腔洗浄装置１の使用手順の一例について説明する。
口腔洗浄装置１は例えばユーザにより次のように使用される。第１手順では、所定量の洗浄液がタンク７０内に注がれ、タンク７０が装置本体２０に取り付けられる。第２手順では、本体ユニット１０の第１ボタン５１が操作されることにより口腔洗浄装置１の電源がオンに設定される。口腔洗浄装置１の電源がオンに設定されることにより、ポンプ３１（図７参照）が駆動し始める。第３手順では、洗浄ユニット１００が本体ユニット１０から取り外され、ノズル１０５の吐出口１０５Ａが口腔内に向けられる。第４手順では、洗浄ユニット１００の操作部１０６が操作されることにより吐出口１０５Ａから洗浄液が吐出される。このため、吐出口１０５Ａから吐出された洗浄液により口腔内が洗浄される。第５手順では、口腔洗浄装置１による口腔内の洗浄が中断または終了されることにより、洗浄ユニット１００が本体ユニット１０に取り付けられる。第５手順において口腔洗浄装置１による口腔内の洗浄が中断された場合、第３手順〜第５手順が繰り返し実施される。
【００７３】
洗浄液が吐出口１０５Ａから吐出される過程において、ポンプ３１から吐出された洗浄液がチューブ８０内を通過するため、チューブ８０を流れる洗浄液の水圧等の影響によりチューブ８０が振動する。チューブ８０の振動の大きさはポンプ３１から吐出される洗浄液の水圧の大きさに依存する。このため、振動するチューブ８０が本体ユニット１０と接触する。一方、口腔洗浄装置１ではチューブ８０が接触しやすい配置部４０に弾性部材４２が設けられているため、チューブ８０の振動が弾性部材４２により吸収される。このため、チューブ８０が摩耗しにくい。また、チューブ８０と配置部４０との接触により発生する音が小さくなる。さらに、平面視における本体ユニット１０の２次元形状が円、かつ、本体ユニット１０の３次元形状が円柱体であるため、チューブ８０が本体ユニット１０と接触しても本体ユニット１０とチューブ８０との接触面積が狭くなる。このため、チューブ８０が本体ユニット１０と接触した状態においてポンプ３１が駆動した場合でもチューブ８０が摩耗しにくい。
【００７４】
洗浄ユニット１００が本体ユニット１０に取り付けられるとき、洗浄ユニット１００が本体ユニット１０に近づけられることによって結合部１１０の磁力により洗浄ユニット１００が本体ユニット１０と結合される。このため、本体ユニット１０に対する洗浄ユニット１００の位置を正確に合わせなくても洗浄ユニット１００を本体ユニット１０に取り付けることができる。
【００７５】
（変形例）
実施の形態に関する説明は本開示に関する口腔洗浄装置が取り得る形態の例示であり、その形態を制限することを意図していない。本開示は実施の形態以外に例えば以下に示される実施の形態の変形例、および、相互に矛盾しない少なくとも２つの変形例が組み合わせられた形態を取り得る。
【００７６】
・第６シール部１２６の構成は任意に変更可能である。第１例では、図１５に示されるとおり、ブッシング１２６Ａが引出部２６に対して超音波溶着、圧入、または、圧接されることにより、ブッシング１２６Ａと引出部２６との間がシールされる。第２例では、電源コードＰＣは底蓋２４と一体成形されることによって底蓋２４と電源コードＰＣとの間がシールされる。
【００７７】
・シール構造１２０の構成は任意に変更可能である。第１例では、第１シール部１２１は第１シール部材１２１Ａ、第２シール部材１２１Ｂ、および、第３シール部材１２１Ｃのうちの少なくとも１つを省略した形態を取り得る。第２例では、第２シール部１２２は第１シール部材１２２Ａ、第２シール部材１２２Ｂ、および、第３シール部材１２２Ｃのうちの少なくとも１つを省略した形態を取り得る。第３例では、シール構造１２０は第１シール部１２１、第２シール部１２２、第３シール部１２３、第４シール部１２４、第５シール部１２５、および、第６シール部１２６のうちの少なくとも１つを省略した形態を取り得る。
【００７８】
・平面視における本体ユニット１０の２次元形状は任意に変更可能である。一例では、平面視における本体ユニット１０の２次元形状は角を含む形状である。
【００７９】
・装置本体２０の上面２３Ａとタンク７０の上面７５Ａとの関係は任意に変更可能である。第１例では、装置本体２０の上面２３Ａはタンク７０の上面７５Ａよりも高い。第２例では、装置本体２０の上面２３Ａはタンク７０の上面７５Ａよりも低い。第３例では、タンク７０の上面７５Ａが本体ユニット１０の上面の全部を構成するように、タンク７０の上面７５Ａの一部が装置本体２０の上面２３Ａを覆う。第４例では、装置本体２０の上面２３Ａが本体ユニット１０の上面の全部を構成するように、装置本体２０の上面２３Ａの一部がタンク７０の上面７５Ａを覆う。第５例では、タンク７０が装置本体２０の上面２３Ａに着脱可能に設けられる。なお、装置本体２０の上面２３Ａとタンク７０の上面７５Ａとの関係は、タンク７０が装置本体２０に取り付けられた状態における関係を示す。
【００８０】
・第２ケース１０１の第１端面１０３Ａと装置本体２０の上面２３Ａとの関係は任意に変更可能である。第１例では、第１端面１０３Ａは装置本体２０の上面２３Ａよりも高い。第２例では、第１端面１０３Ａは装置本体２０の上面２３Ａよりも低い。なお、第２ケース１０１の第１端面１０３Ａと装置本体２０の上面２３Ａとの関係は、洗浄ユニット１００が本体ユニット１０に取り付けられた状態における関係を示す。
【００８１】
・ケース本体３０の凹部３４と配置部４０の凹部４１との関係は任意に変更可能である。一例では、ケース本体３０の凹部３４は本体ユニット１０の幅方向において配置部４０の凹部４１に対してずれた位置に設けられる。この例における第２ケース１０１は、洗浄ユニット１００が本体ユニット１０に取り付けられた状態において第２端部１０４が配置部４０と面しない。なお、第２ケース１０１の第２端部１０４が配置部４０と面しない構成は、第２ケース１０１の長さを短くする構成を含む。
【００８２】
・弾性部材４２の構成は任意に変更可能である。第１例では、第１弾性部材４２Ａは開口４１Ａの縁４１Ｂの一部に設けられる。第２例では、第２弾性部材４２Ｂが凹部４１の内周面４１Ｃの一部に設けられる。第３例では、第２弾性部材４２Ｂが凹部４１の底面４１Ｄの一部に設けられる。第４例では、弾性部材４２は第１弾性部材４２Ａおよび第２弾性部材４２Ｂの少なくとも一方を省略した形態を取り得る。
【００８３】
・ケース本体３０の第１外壁３０Ａは規制部３５を省略した形態を取り得る。この例によれば、洗浄ユニット１００は本体ユニット１０に取り付けられた状態において、結合部１１０だけにより本体ユニット１０に対する位置が保持される。第２ケース１０１の第１外壁１０１Ａは接触部１０８を省略した形態を取り得る。
【００８４】
・磁石１１１Ａが凹部３４において本体ユニット１０の高さ方向の中心に設けられるか否かは任意に変更可能である。第１例では、磁石１１１Ａは凹部３４において本体ユニット１０の高さ方向の上方側に設けられる。第２例では、磁石１１１Ａは凹部３４において本体ユニット１０の高さ方向の下方側に設けられる。
【００８５】
・磁石１１１Ａが第１収容部１１１Ｃ内に設けられるか否かは任意に変更可能である。一例では、磁石１１１Ａは凹部３４の外面側に設けられる。この例によれば、第１収容部１１１Ｃが第１結合部１１１から省略される。なお、ケース本体３０は凹部３４を省略した形態を取り得る。
【００８６】
・強磁性体１１２Ａが第２収容部１１２Ｂ内に設けられるか否かは任意に変更可能である。一例では、強磁性体１１２Ａは第２ケース１０１の外面側に設けられる。この例によれば、第２収容部１１２Ｂが第２結合部１１２から省略される。
【００８７】
・ケース本体３０の第２外壁３０Ｂの厚さＴＡ１とケース本体３０の第１外壁３０Ａにおける第２外壁３０Ｂの周囲の部分の厚さＴＡ２、ＴＡ３との関係は任意に変更可能である。第１例では、厚さＴＡ１は厚さＴＡ２、ＴＡ３の少なくとも一方と実質的に同じ厚さである。第２例では、厚さＴＡ１は厚さＴＡ２、ＴＡ３の少なくとも一方よりも厚い。
【００８８】
・第２ケース１０１の第２外壁１０１Ｂにおける薄肉部１０１Ｃの厚さＴＢ１と第２ケース１０１の第１外壁１０１Ａにおける第２外壁１０１Ｂの周囲の部分の厚さＴＢ２、ＴＢ３との関係は任意に変更可能である。第１例では、厚さＴＢ１は厚さＴＢ２、ＴＢ３の少なくとも一方と実質的に同じ厚さである。第２例では、厚さＴＢ１は厚さＴＢ２、ＴＢ３の少なくとも一方よりも厚い。
【００８９】
・結合部１１０の構成は任意に変更可能である。第１例では、第１結合部１１１が強磁性体を含み、第２結合部１１２が磁石を含む。この例によれば、第１結合部１１１および第２結合部１１２の両方が磁石を含む場合よりも製造コストが低減される。第２例では、第１結合部１１１が磁石１１１Ａを含み、第２結合部１１２が磁石１１１Ａと引き合う磁石を含む。結合部１１０に含まれる磁石は電磁石でもよい。第３例では、結合部１１０は本体ユニット１０と洗浄ユニット１００とを物理的に結合する。物理的な結合の一例として、第１結合部１１１および第２結合部１１２の一方がフックを含み、第１結合部１１１および第２結合部１１２の他方がフックと結合可能な引掛部を含む。口腔洗浄装置１は結合部１１０を省略した形態を取り得る。
【００９０】
・操作部５０が装置本体２０の上面２３Ａに設けられるか否かは任意に変更可能である。一例では、操作部５０は装置本体２０の側面に設けられる。
【００９１】
・表示部６０が装置本体２０の上面２３Ａに設けられるか否かは任意に変更可能である。一例では、表示部６０は装置本体２０の側面に設けられる。口腔洗浄装置１は表示部６０を省略した形態を取り得る。
【００９２】
・変形例の口腔洗浄装置２００は以下に説明する点において実施の形態の口腔洗浄装置１と相違し、その他の点において実施の形態の口腔洗浄装置１と実質的に同じ構成を備える。なお、変形例の口腔洗浄装置２００の説明は実施の形態の口腔洗浄装置１と共通する構成に同一の符号を付し、その構成の説明の一部または全部を省略する。
【００９３】
図１６に示される口腔洗浄装置２００は本体ユニット２１０、チューブ８０、洗浄ユニット２２０、および、電源コードＰＣを含む。本体ユニット２１０は装置本体２１１、支持台２１２、タンク２１３、および、操作部２１４を含む。装置本体２１１、タンク２１３、操作部２１４、および、洗浄ユニット２２０の構成は、実施の形態の装置本体２０、タンク７０、操作部５０、および、洗浄ユニット１００の構成と実質的に同じである。タンク２１３は装置本体２１１の上部に着脱可能に設けられる。支持台２１２は洗浄ユニット２２０を載せる台であり、装置本体２１１と一体的に設けられる。一例では、洗浄ユニット２２０が支持台２１２に載せられることにより、洗浄ユニット２２０と本体ユニット２１０とが磁力により結合する。
【００９４】
本体ユニット２１０は配置部２１５をさらに含む。配置部２１５は洗浄ユニット１００が本体ユニット２１０に取り付けられた状態においてチューブ８０を配置できるように本体ユニット１０に設けられる。一例では、支持台２１２に載せられた洗浄ユニット２２０、装置本体２１１の側面２１１Ａ、支持台２１２の上面２１２Ａ、および、タンク２１３の側面２１３Ａにより囲まれた部分が配置部２１５を構成する。
【００９５】
口腔洗浄装置２００は弾性部材２３０をさらに含む。図１６においてドットが表示された部分は弾性部材２３０を示す。弾性部材２３０を構成する材料の一例はチューブ８０と接触してもチューブ８０が摩耗しにくい弾性材料である。この弾性材料の一例はエラストマである。弾性部材２３０は配置部２１５に設けられる。弾性部材２３０は第１弾性部材２３１、第２弾性部材２３２、および、第３弾性部材２３３を含む。第１弾性部材２３１は装置本体２１１の側面２１１Ａに設けられる。第２弾性部材２３２は支持台２１２の上面２１２Ａに設けられる。第３弾性部材２３３はタンク２１３の側面２１３Ａに設けられる。チューブ８０が接触しやすい配置部２１５に弾性部材２３０が設けられるため、チューブ８０が振動した場合にその振動が弾性部材２３０により吸収される。このため、チューブ８０が摩耗しにくい。なお、弾性部材２３０は第１弾性部材２３１、第２弾性部材２３２、および、第３弾性部材２３３のうちの１つまたは２つを省略した形態を取り得る。
【００９６】
口腔洗浄装置２００は接続部８１および弾性部材２４０をさらに含む。接続部８１は配置部２１５に設けられる。弾性部材２４０の一例はＯリングである。弾性部材２４０は接続部８１をシールするように配置部２１５に設けられる。このため、接続部８１から本体ユニット２１０内に水が入り込みにくい。
【産業上の利用可能性】
【００９７】
本開示に関する口腔洗浄装置は、家庭用および業務用をはじめとする各種の口腔洗浄装置に利用できる。
【符号の説明】
【００９８】
１      ：口腔洗浄装置
１０    ：本体ユニット
３１    ：ポンプ
４０    ：配置部
４１    ：凹部
４１Ａ  ：開口
４１Ｂ  ：縁
４１Ｃ  ：内周面
４２    ：弾性部材
８０    ：チューブ
８１    ：接続部
１００  ：洗浄ユニット
１１０  ：結合部
１２３Ａ：弾性部材
【図１】
2020108869.tif 000003
【図２】
2020108869.tif 000004
【図３】
2020108869.tif 000005
【図４】
2020108869.tif 000006
【図５】
2020108869.tif 000007
【図６】
2020108869.tif 000008
【図７】
2020108869.tif 000009
【図８】
2020108869.tif 000010
【図９】
2020108869.tif 000011
【図１０】
2020108869.tif 000012
【図１１】
2020108869.tif 000013
【図１２】
2020108869.tif 000014
【図１３】
2020108869.tif 000015
【図１４】
2020108869.tif 000016
【図１５】
2020108869.tif 000017
【図１６】
2020108869.tif 000018